(57)【要約】【課題】固有情報記録装置を用いたデータ検出システムにおいて、固有情報記録装置を設置した被設置者が固有情報記録装置の利用許可を出さなくても、特定人物に被設置者の個人の各種情報のデータを引き出させ、適切な処置を可能とすることにある。【解決手段】被設置者の個人の各種情報のデータを格納して被設置者の口腔内又は口腔近傍の生体に設置された固有情報記録装置に緊急時用識別情報により通信可能な緊急時用アクセス装置を設け、緊急時用識別情報により緊急時用アクセス装置に通信可能で且つ被設置者の各種情報のデータを読み出し可能な端末装置を設けている。【選択図】図１
2005276109.tif 000002
【特許請求の範囲】
【請求項１】
被設置者の個人の各種情報のデータを格納して前記被設置者の口腔内又は口腔近傍の生体に設置された固有情報記録装置に緊急時用識別情報により通信可能な緊急時用アクセス装置を設け、前記緊急時用識別情報により前記緊急時用アクセス装置に通信可能で且つ前記被設置者の各種情報のデータを読み出し可能な端末装置を設けたことを特徴とする固有情報記録装置を用いたデータ検出システム。
【請求項２】
被設置者の個人の各種情報のデータを格納して前記被設置者の口腔内又は口腔近傍の生体に設置された固有情報記録装置に緊急時用識別情報により通信可能な緊急時用アクセス装置を設け、前記被設置者の各種情報のデータが登録されて前記緊急時用アクセス装置に通信可能なサーバを設け、前記緊急時用識別情報により前記緊急時用アクセス装置及び前記サーバに通信可能で且つ前記被設置者の各種情報のデータを読み出し可能な端末装置を設けたことを特徴とする固有情報記録装置を用いたデータ検出システム。
【請求項３】
被設置者の個人の各種情報のデータを格納して前記被設置者の口腔内又は口腔近傍の生体に設置された固有情報記録装置に緊急時用識別情報により通信可能な緊急時用アクセス装置を設け、この緊急時用アクセス装置は、前記固有情報記録装置から前記被設置者の各種情報のデータを読み出し可能な端末装置を備えていることを特徴とする固有情報記録装置を用いたデータ検出システム。
【請求項４】
被設置者の個人の各種情報のデータを格納して前記被設置者の口腔内又は口腔近傍の生体に設置された固有情報記録装置に緊急時用識別情報により通信可能な緊急時用アクセス装置を設け、この緊急時用アクセス装置は、前記固有情報記録装置から前記被設置者の各種情報のデータを読み出し可能な端末装置を備えているとともに、前記被設置者の各種情報のデータが登録されたサーバに通信可能に設けられたことを特徴とする固有情報記録装置を用いたデータ検出システム。
【発明の詳細な説明】
【技術分野】
【０００１】
この発明は、固有情報記録装置を用いたデータ検出システムに係り、特に緊急時に特定人物が口腔内又は口腔近傍の生体に固有情報記録装置を設置した被設置者の個人情報のデータを取得することができる固有情報記録装置を用いたデータ検出システムに関するものである。
【背景技術】
【０００２】
近年、商品等の管理には、簡易便利なＩＣ（集積回路）チップを備えた固有情報記録装置が用いられている。この固有情報記録装置においては、ＩＣチップに各種情報のデータを格納させ、読取装置によりその情報のデータを読み出させている。
【０００３】
従来、データ検出システムには、歯科用築造体に、人物の個人情報のデータを格納した非接触型のＩＣチップ（ＲＦＩＤ（Ｒａｄｉｏ  Ｆｒｅｑｕｅｎｃｙ  Ｉｄｅｎｔｉｆｉｃａｔｉｏｎ）チップ）を備えた固有情報記録装置を設置し、これにより、生体情報をモニタするものがある。
また、メモリ領域を備えたＩＣチップにおいて、ディレクトリ毎に暗証コードや認証用の秘密鍵を用いたものがある。
【特許文献１】特開２００３−７０７５２号公報
【特許文献２】特開２００３−１６４０３号公報
【発明の開示】
【発明が解決しようとする課題】
【０００４】
ところで、従来、人物の個人情報をモニタする場合に、通常、ＩＣチップに格納した人物個人の各種情報のデータを引き出して、身分証明（以下「ＩＤ」という）や病歴確認を行うには、ＩＣチップを設置している人物である被設置者の許可（ＩＤ一致）が必要となる。
【０００５】
しかしながら、被設置者の許可は、被設置者自身が暗証番号（パスワード）等の特定の識別情報の入力を行うことで可能となるが、その被設置者が意識不明に陥った場合等に、被設置者のＩＣチップの利用許可を被設置者自身が許可することができず、このため、人物の必要な各種情報のデータ（個人（ＩＤ）や病歴等の各データ）を引き出すことができないという事態が生じてしまうという不都合があった。
【０００６】
例えば、人物は、重度の糖尿病をもっており、その糖尿病がかなり悪化して症状が出た場合に、時と場所を問わず、突然、意識不明状態に陥いたり、人物自身で病状を医師等に的確に伝えられないことが考えられる。このため、人物が自分の各種情報のデータを格納したＩＣチップを設置していたとしても、このＩＣチップを設置した人物である被設置者自身が氏名、年齢等のＩＤや、病歴等を医師等に的確に伝えることができない場合があり、改善が望まれていた。
【課題を解決するための手段】
【０００７】
この発明は、被設置者の個人の各種情報のデータを格納して前記被設置者の口腔内又は口腔近傍の生体に設置された固有情報記録装置に緊急時用識別情報により通信可能な緊急時用アクセス装置を設け、前記緊急時用識別情報により前記緊急時用アクセス装置に通信可能で且つ前記被設置者の各種情報のデータを読み出し可能な端末装置を設けたことを特徴とする。
【発明の効果】
【０００８】
この発明の口腔内固有情報記録装置を用いたデータ検出システムは、緊急時用識別情報により、端末装置が緊急時用アクセス装置に通信し、そして、この緊急時用アクセス装置が固有情報記録装置に通信することで、例えば、被設置者自身による身分確認、病状申告が不可能（暗証番号（パスワード）等の特定の識別情報の確認が不可能）の場合には、医師等の特定人物がその被設置者の固有情報記録装置の各種情報のデータを読み取ることで、その被設置者が固有情報記録装置の利用許可を出さなくても、特定人物が被設置者の各種情報のデータを読み出すことができ、適切な処置が可能となる。
【発明を実施するための最良の形態】
【０００９】
この発明は、特定人物が、固有情報記録装置を設置した被設置者の各種情報のデータを、被設置者の利用許可がなくても読み取れる目的を、緊急時用識別情報により通信可能な緊急用アクセス装置を設けて実現するものである。
以下、図面に基づいてこの発明の実施例を詳細且つ具体的に説明する。
【実施例１】
【００１０】
図１〜図５は、この発明の第１実施例を示すものである。
【００１１】
図２において、２は固有情報記録装置を用いたデータ検出システムである。この固有情報記録を用いたデータ検出システム２は、被設置者（以下「人物Ｐ」という）の個人の各種情報のデータを格納して該人物Ｐの口腔内又は口腔近傍の生体に設置された固有情報記録装置４（図４、図５参照）と、この固有情報記録装置４に特定の識別情報としての緊急時用識別情報（例えば、暗証番号や暗証コード等）（以下「緊急時用暗証番号」という）により通信可能な緊急時用アクセス装置である緊急時用ＩＣ（集積回路）チップアクセス装置６と、人物Ｐの各種情報のデータが登録されて緊急時用ＩＣチップアクセス装置６に通信可能なサーバ８と、前記緊急時用暗証番号により緊急時用ＩＣチップアクセス装置６及びサーバ８に通信可能で且つ人物Ｐの各種情報のデータを読み出し可能な端末装置であるコンピュータ１０とを備えている。
【００１２】
固有情報記録装置４は、図４に示す如く、例えば、歯科用築造体１２内に設置され、人物Ｐの個人の各種情報のデータ（身元証明等の個人データ（以下「ＩＤ」という）や、病歴、アレルギー体質等の病状データ等）を格納したり、新たな情報のデータを書き込み可能な非接触型のＩＣチップ（ＲＦＩＤ（Ｒａｄｉｏ  Ｆｒｅｑｕｅｎｃｙ  Ｉｄｅｎｔｉｆｉｃａｔｉｏｎ）チップ）１４と、このＩＣチップ１４に対して各種生体情報のデータを送る生体センサ１６と、通信用のアンテナ機能を備えた誘導コイル部１８とから構成される。歯科用築造体１２は、図５に示す如く、歯茎２０の歯槽２２に嵌入した歯根２４に設置されるものである。ＩＣチップ１４には、図３に示す如く、人物Ｐの各種情報のデータ等を記憶した記憶部（メモリ）１４Ａと、緊急時用暗証番号使用許可承認者リスト中の一人であることのデータを登録する緊急時用暗証番号使用許可承認登録部１４Ｂとが備えられている。
【００１３】
緊急時用ＩＣチップアクセス装置６は、例えば、病院等の特定施設内に設置され、固有情報記録装置４に通信してＩＣチップ１４に格納した人物Ｐの各種情報のデータを該ＩＣチップ１４から転送させたり、該ＩＣチップ１４からの人物Ｐの個人情報のデータをサーバ８に転送したり、サーバ８に登録した人物Ｐの各種情報のデータとＩＣチップ１４からの人物Ｐの各種情報のデータとを照合・認識するものである。このため、緊急時用ＩＣチップアクセス装置６には、図３に示す如く、制御部６Ａと、緊急時用暗証番号入力部６Ｂと、固有情報記録装置４及びサーバ８との通信を行う通信アクセス部６Ｃと、緊急時用暗証番号使用許可承認判断部６Ｄと、データ認識照合部６Ｅとが備えられている。
【００１４】
サーバ８は、人物Ｐの各種情報のデータとして、例えばＩＤ（身分証明等）を登録するとともに、人物Ｐの各種情報のデータをコンピュータ１０に読み出させたり、人物Ｐの各種情報のデータを照合・認識等するものである。このため、サーバ８には、制御部８Ａと、個人データ登録部８Ｂと、緊急時用暗証番号入力部８Ｃと、緊急時用ＩＣチップアクセス装置６及びコンピュータ１０との通信を行う通信アクセス部８Ｄと、緊急時用暗証番号使用許可承認者リストのデータを登録する緊急時用暗証番号使用許可承認登録部８Ｅと、医師ＩＤ認識部８Ｆと、データ認識照合部８Ｇとが備えられている。
【００１５】
コンピュータ１０は、例えば、特定人物としての医師や救命救急医等（以下「医師」という）の近傍に設置され、サーバ８により要求されて医師が入力した前記緊急時用暗証番号により、緊急時用ＩＣチップアクセス装置６及びサーバ８に通信可能なものであり、また、サーバ８により要求される医師自身のＩＤ（識別番号）を入力可能なものである。このため、コンピュータ１０には、本体１０Ａと、表示部１０Ｂと、入力操作部１０Ｃとが備えられている。また、本体１０Ａには、制御部１０Ａ−１と、緊急時用ＩＣチップアクセス装置６及びサーバ８との通信を行う通信アクセス部１０Ａ−２と、データ取得部１０Ａ−３とが備えられている。
【００１６】
この第１実施例の固有情報記録装置を用いたデータ検出システム２においては、例えば、人物Ｐが意識不明状態に陥った場合や、人物Ｐの意識はあるが、人物Ｐが病状等を医師に的確に説明することができない場合等に、医師によって人物Ｐ自身の氏名、住所、年齢等の個人データ（ＩＤ）や病歴等の病状データ等の各種情報のデータを読み出せるよう事前登録をしておくことで、必要な人物Ｐの各種情報のデータを読み出し、適切な治療を受けさせるものである。
【００１７】
この事前登録は、臓器移植のドナーカードのようなものであり、人物Ｐ自身で身分証明（ＩＤ）や病状等の本人の各種情報を説明することが困難な場合に、人物Ｐの各種情報のデータを医師が引き出せる仕組みである。この事前登録の方法としては、意識不明や病状を医師に的確に説明することができない等によって人物Ｐ自身が身分証明や病歴等を的確に伝えられない状態を想定し、ＩＣチップ１４内に各種情報のデータを記録させるときに、病院等に運ばれた際には、医師に緊急時用暗証番号の入力を要求して人物Ｐの各種情報のデータを引き出せるように、ＩＣチップ１４に緊急時用暗証番号使用許可承認を登録させておくものである。
【００１８】
また、サーバ８にも、同様に、緊急時用暗証番号使用許可承認を登録しておく。緊急時に、人物Ｐの各種情報のデータを読み出すために使用する前記緊急時用暗証番号は、特定人物のみが使用できるようにしておき、人物Ｐの各種情報のデータを読み出した際には、前記緊急時用暗証番号を使用して読み出した特定人物の氏名等を記録させることで、誰によって人物Ｐの各種情報のデータが引き出されたかを後に追跡が行えるようにしておくものである。
【００１９】
次に、この第１実施例の作用を、例えば、重度の糖尿病をもつ人物Ｐの場合について説明する。
【００２０】
先ず、前提として、人物Ｐの身元証明等の個人データ（ＩＤ）や、病歴やアレルギー体質等の病状データ等の各種情報のデータを非接触型のＩＣチップ１４に格納し、このＩＣチップ１４を人物Ｐの口腔内又は口腔近傍の生体に設置しておく（図５参照）。
【００２１】
そして、この人物Ｐは、重度の糖尿病を持っているため、意識不明状態等の緊急時に、身元証明（ＩＤ）や病状データ等の各種情報を特定人物（例えば、医師や救命救急医等）が緊急用の緊急時用暗証番号を用いて、ＩＣチップ１４に格納した各種情報のデータを読み取れるように、事前に、ＩＣチップ１４及びサーバ８に緊急時用暗証番号使用許可承認を登録しておく。
【００２２】
このとき、人物Ｐは、前記緊急時用暗証番号を使用して引き出せる各種情報のデータに制限をかけておくことができる（例えば、氏名、住所、緊急連絡先、血液型、病歴のみが引き出し可能としておくことで、ＩＣチップ１４内にある個人の各種情報のデータの全てが見られる心配はなくなる）。
【００２３】
前記人物Ｐの各種情報のデータを引き出すために使用する緊急時用暗証番号は、事前に、救急の病院等の緊急時用ＩＣチップアクセス装置６に登録されているものである。また、特定人物には個人個人にＩＤを持たせ、緊急時に、人物Ｐの各種情報のデータを引き出す際に緊急時用暗証番号と共に特定人物個人のＩＤを入力させることで、誰が人物Ｐの個人の各種情報のデータを引き出したのかを記録しておくことができる。
【００２４】
そして、例えば、人物Ｐが突然道で倒れて意識不明状態に陥ってしまった場合に、氏名、住所、自分が重度の糖尿病であることを特定人物である医師に伝えることが不可能な状態となったとする。
【００２５】
そこで、人物Ｐが救急車で病院に搬送されるが、人物Ｐの意識は戻っていないため、医師は、人物ＰのＩＣチップ１４から人物Ｐの個人の各種情報のデータを、図１のフローチャートに示すように読み出す。
【００２６】
即ち、図１のフローチャートに示す如く、医師により操作されたコンピュータ１０がサーバ８にアクセスすると（Ａ−１）、コンピュータ１０には緊急時用暗証番号の入力が要求され（Ａ−２）、医師がこの緊急時用暗証番号をコンピュータ１０に入力すると、この緊急時用暗証番号のデータがコンピュータ１０からサーバ８に送信される。
【００２７】
同時に、医師により操作されたコンピュータ１０が病院内に設置されている緊急時用ＩＣチップアクセス装置６にアクセスすると（Ｂ−１）、コンピュータ１０には緊急時用暗証番号の入力が要求され（Ｂ−２）、医師が緊急時用暗証番号をコンピュータ１０に入力すると、この緊急時用暗証番号のデータがコンピュータ１０から緊急時用ＩＣチップアクセス装置６に送信される。
【００２８】
サーバ８では、コンピュータ１０から入力したデータの緊急時用暗証番号が認識されたか否かを判断し（Ａ−３）、この緊急時用暗証番号を認識しなかった場合には（認証不可）、コンピュータ１０に緊急時用暗証番号の入力を継続して要求する（Ａ−２）。
【００２９】
また、同時に、緊急時用ＩＣチップアクセス装置６では、コンピュータ１０から入力したデータの緊急時用暗証番号を認識したか否かを判断し（Ｂ−３）、この緊急時用暗証番号が認識しなかった場合には（認証不可）、コンピュータ１０に緊急時用暗証番号の入力を継続して要求する（Ｂ−２）。
【００３０】
サーバ８では、緊急時用暗証番号が認識した場合に（認証）、医師個人のＩＤの入力をコンピュータ１０に要求し（Ａ−４）、医師が医師個人のＩＤをコンピュータ１０で入力すると、この医師個人のＩＤを認識したか否かの確認し（Ａ−５）、医師個人のＩＤが認識しない場合には（認証不可）、コンピュータ１０に緊急時用暗証番号の入力を要求する（Ａ−２）。
【００３１】
緊急時用ＩＣチップアクセス装置６では、緊急時用暗証番号が認識した場合には（認証）、ＩＣチップ１４にアクセスし（Ｂ−４）、このＩＣチップ１４がその緊急時用暗証番号使用許可承認をしているか否かの確認し（Ｂ−５）、このＩＣチップ１４がその緊急時用暗証番号使用許可承認をしない場合には（許可なし）、コンピュータ１０に緊急時用暗証番号の入力を継続して要求する（Ｂ−２）。
【００３２】
この緊急時用ＩＣチップアクセス装置６では、ＩＣチップ１４でその緊急時用暗証番号使用許可があるとした場合には、緊急時用暗証番号を認識し（Ｂ−６）、そして、ＩＣチップ１４内に記録されている人物ＰのＩＤの個人データを緊急時用ＩＣチップアクセス装置６に転送させる（Ｂ−７）。
【００３３】
サーバ８では、医師個人のＩＤのデータを認識した場合に（認証）、該サーバ１０内の緊急時用暗証番号使用許可承認者リストのデータを読み出しておく（Ａ−６）。
【００３４】
次に、人物ＰのＩＤのデータの認識は、緊急時用ＩＣチップアクセス装置６とサーバ８との人物Ｐのデータ（ＩＤ）を照合して行われる。
【００３５】
つまり、サーバ８では、読み出してある緊急時用暗証番号使用許可承認者リストのデータを緊急時用ＩＣチップアクセス装置６に送信する。この場合、緊急時用ＩＣチップアクセス装置６からサーバ８へ人物Ｐの各種情報のデータを送信して照合することも可能である。
【００３６】
そして、緊急時用ＩＣチップアクセス装置６では、サーバ１０内から読み出されて送信されてきた緊急時用暗証番号使用許可承認者リストのデータ（Ａ−６）の中に、ＩＣチップ１４から転送された人物ＰのＩＤのデータがあるか否かを照合し（Ｂ−８）、緊急時用暗証番号使用許可承認者リスト（Ａ−６）のデータの中に、ＩＣチップ１４から転送された人物ＰのＩＤのデータがない場合には（不一致）、ＩＣチップ１４内の人物ＰのＩＤのデータを再度読み出す（Ｂ−７）。
【００３７】
サーバ８では、同様に、緊急時用暗証番号使用許可承認者リストのデータの中に人物ＰのＩＤのデータがあるか否かを照合し（Ａ−７）、緊急時用暗証番号使用許可承認者リストのデータの中に人物ＰのＩＤのデータがなかった場合には（不一致）、この照合を継続する（Ａ−７）。
【００３８】
サーバ８では、緊急時用暗証番号使用許可承認者リストのデータの中に人物ＰのＩＤのデータがあった場合に（一致）、人物ＰのＩＤのデータの一致の認証を行い（Ａ−８）、そして、ＩＣチップ１４から送られてきた人物Ｐの個人データ及び病状データ等の各種情報のデータを読み取る準備をする（Ａ−９）。
【００３９】
緊急時用ＩＣチップアクセス装置６では、サーバ１０内から読み出された緊急時用暗証番号使用許可承認者リストのデータの中に、ＩＣチップ１４から緊急時用ＩＣチップアクセス装置へ転送された人物ＰのＩＤのデータが一致した場合に、人物ＰのＩＤの認証を行い（Ｂ−９）、そして、ＩＣチップ１４から人物Ｐの氏名、住所、緊急連絡先、血液型、重度の糖尿病等の個人データ（ＩＤ）及び病状データを読み取り（Ｂ−１０）、更に、ＩＣチップ１４から読み取った人物Ｐの個人データ（ＩＤ）及び病状データを、読み取り準備のできているサーバ８へ転送する（Ｂ−１１）。この場合、緊急時用暗証番号を使用してデータ引き出しを行う場合は、必ず、サーバ８からしかそのデータを、引き出し且つ読み取れないようにしておく。
【００４０】
サーバ８では、該サーバ８が緊急時用ＩＣチップアクセス装置６からの人物Ｐの氏名、住所、緊急連絡先、血液型、重度の糖尿病等の個人データ及び病状データを認識し（Ａ−１０）、そして、医師にサーバ８から人物Ｐの氏名、住所、緊急連絡先、血液型、重度の糖尿病等の個人情報のデータを引き出すことで、必要な情報のデータを読み取りさせ（Ａ−１１）、医師が人物Ｐの適切な治療を行えるようにする。
【００４１】
医師の治療終了後で、コンピュータ１０には、人物Ｐの今回の症状のデータをサーバ８を経由してＩＣチップ１４に書き込みを要求し（Ａ−１２）、また、ＩＣチップ１４のデータの引き出しを終了させた時には、サーバ８にアクセスするときに入力した医師個人のＩＤ入力から、そのアクセスした医師の氏名、病院名等の各種情報のデータを、サーバ８を経由して自動で人物ＰのＩＣチップ１４に記録する（Ａ−１３）。
【００４２】
これにより、人物Ｐがいつ意識不明状態に陥ったのか、誰がＩＣチップ１４にアクセスし、治療を行ったかが確認できる。
【００４３】
この結果、固有情報記録装置を用いたデータ検出システム２は、緊急時用暗証番号により、端末装置であるコンピュータ１０が緊急時用ＩＣチップアクセス装置６に通信し、そして、この緊急時用ＩＣチップアクセス装置６が固有情報記録装置４に通信することから、例えば、人物Ｐ自身による身分確認、病状申告が不可能（暗証番号等の特定の識別情報の確認が不可能）の場合には、医師等の特定人物がその人物Ｐの固有情報記録装置４の個人の各種情報のデータを読み取ることで、その人物Ｐが固有情報記録装置４の利用許可を出さなくても、特定人物がその人物Ｐの各種情報のデータを読み取ることができ、適切な処置が可能となる。
【００４４】
なお、この第１実施例において、コンピュータ１０によるＩＣチップ１４へのアクセス方法としては、サーバ８を経由しないで、ＩＣチップ１４に格納した各種情報のデータを、コンピュータ１０から直接読み取らせることも可能である。この場合、緊急時用暗証番号を知っている特定人物にしか、コンピュータ１０を操作できないようにしておき、また、コンピュータ１０及び緊急時用ＩＣチップアクセス装置６の設置場所も、病院等の特定施設に限定する。
【００４５】
例えば、人物Ｐは、重度の糖尿病を持っている。重度の糖尿病の場合、時と場所とを問わず、突然、意識不明状態に陥ることが考えられる。このため、人物Ｐ自身が、氏名、年齢等の個人情報や、病歴等を医師等の特定人物に的確に伝えることができない場合がある。
【００４６】
そこで、人物Ｐが意識不明状態に陥った場合に、医師、救急救命医等の特定人物によって人物Ｐの氏名、年齢等の個人データや病歴データ等の各種情報のデータを引き出せるように、ＩＣチップ１４に事前に登録しておくことで、必要な人物Ｐの個人データや病状データ等の各種情報のデータを読み出し、適切な治療を受けられるシステムとする。
【００４７】
この事前登録方法としては、意識不明等によって本人が身分や病歴等を的確に伝えられない状態を想定し、ＩＣチップ１４内に意識不明状態になった場合に、特定人物が病状データ等の情報を読み出せるように、緊急時用使用許可承認を登録させておく。
【００４８】
また、ＩＣチップ１４内にデータを読み取る緊急時用ＩＣチップアクセス装置６には、緊急時用暗証番号を登録させておき、また、該緊急時用ＩＣチップアクセス装置６を使用する特定人物としての医師及び／又は救急救命医のＩＤも登録しておく。
【００４９】
そして、緊急時に、ＩＣチップ１４内のデータを読み出すために使用する緊急時用ＩＣチップアクセス装置６を、特定人物のみが使用できるように、指定機関（救急車や病院等）のみに設置しておき、ＩＣチップ１４内の個人の各種情報のデータを引き出す際には、個人の各種情報のデータを引き出した特定人物の氏名等を記録させることで、誰によって個人の各種情報のデータが引き出されたかを、後に追跡することが行えるようにしておく。
【００５０】
このように、サーバ８を経由しないでＩＣチップ１４に格納した個人の各種情報のデータを直接読み取らせる場合には、ＩＣチップ１４を口腔内に埋め込んでいる人物Ｐが意識不明状態で倒れたとき等の場合に、特定人物としての救急救命医等が緊急時用ＩＣチップアクセス装置６に緊急時用暗証番号及び自分のＩＤを入力し、サーバ８を経由せずに、直接ＩＣチップ１４内の個人データ及び病状データを引き出せる。
【００５１】
この方法を用いることにより、一刻を争うような緊急処置が必要な場合に、サーバ８にアクセスする時間を短縮することができ、素早くＩＣチップ１４内のデータを読み取り、的確な処置を行うことが可能となる。
【００５２】
また、この第１実施例においては、人物Ｐが意識不明状態に陥った場合のみならず、人物Ｐの意識があっても、旅行先で病気にかかったときや、医療機関を変更した場合等で、自分自身の病状を的確に説明することができない場合にでも、この発明のシステムを利用することが可能である。
【実施例２】
【００５３】
図６は、この発明の第２実施例を示すものである。
【００５４】
この第２実施例においては、上述の第１実施例と同一機能を果たす箇所には同一符号を付して説明する。
【００５５】
この第２実施例の特徴とするところは、以下の点にある。即ち、図６に示す如く、緊急時用アクセス装置６は、固有情報記録装置４から被設置者である人物Ｐの各種情報のデータを読み出し可能な端末装置としてのコンピュータ３２を備えている。このコンピュータ３２は、緊急時用アクセス装置６内の各部に連絡している。
【００５６】
このコンピュータ３２は、図３のコンピュータ１０と同様な構成であり、本体３２Ａと、表示部３２Ｂと、入力操作部３２Ｃとを備えている。
【００５７】
この第２実施例においては、ＩＣチップ１４へのアクセス方法としては、特定人物が緊急時用アクセス装置６のコンピュータ３２を操作することで、サーバを経由しないで、ＩＣチップ１４に格納した情報のデータを、直接読み取らせる。この場合、緊急時用暗証番号を知っている特定人物にしか、コンピュータ３２を操作できないようにしておき、また、緊急時用ＩＣチップアクセス装置６の設置場所も、病院等の特定施設に限定する。
【００５８】
つまり、人物Ｐは、重度の糖尿病を持っている。重度の糖尿病の場合、時と場所とを問わず、突然、意識不明状態に陥ることが考えられる。このため、人物Ｐ自身が、氏名、年齢等の個人テータや、病歴データ等を医師等の特定人物に的確に伝えることができない場合がある。
【００５９】
そこで、人物Ｐが意識不明状態に陥った場合に、医師、救急救命医等の特定人物によって人物Ｐの氏名、年齢等の個人データや病歴データ等の各種情報のデータを引き出せるように、ＩＣチップ１４に事前に登録しておくことで、必要な人物Ｐの個人データや病状データ等の各種情報のデータを読み出し、適切な治療を受けられるシステムとする。
【００６０】
この事前登録方法としては、意識不明等によって本人が身分や病歴等を的確に伝えられない状態を想定し、ＩＣチップ１４内に意識不明状態になった場合に、特定人物が病状データ等の情報を読み出せるように、緊急時用使用許可承認を登録させておく。
【００６１】
また、ＩＣチップ１４内にデータを読み取る緊急時用ＩＣチップアクセス装置６には、緊急時用暗証番号を登録させておき、また、該緊急時用ＩＣチップアクセス装置６を使用する特定人物としての医師及び／又は救急救命医のＩＤも登録しておく。
【００６２】
そして、緊急時に、ＩＣチップ１４内のデータを読み出すために使用する緊急時用ＩＣチップアクセス装置６は、特定人物のみが使用できるように、指定期間（救急車や病院等）のみに設置しておき、ＩＣチップ１４内の個人の各種情報のデータを引き出す際には、個人データを引き出した特定人物の氏名等を記録させることで、誰によって個人の各種情報のデータが引き出されたかを、後に追跡することが行えるようにしておく。
【００６３】
このように、サーバを経由しないでＩＣチップ１４に格納した情報のデータを緊急時用ＩＣチップアクセス装置６により直接読み取らせる場合には、ＩＣチップ１４を口腔内に埋め込んでいる人物Ｐが意識不明状態で倒れた場合等に、特定人物としての救急救命医等の特定人物が緊急時用ＩＣチップアクセス装置６に緊急時用暗証番号及び自分のＩＤを入力し、サーバを経由せずに、直接ＩＣチップ１４内の個人データや病歴データ等の各種情報のデータを引き出せる。
【００６４】
この方法を用いることにより、一刻を争うような緊急処置が必要な場合に、サーバにアクセスする時間を短縮することができ、素早くＩＣチップ１４内の個人の各種情報のデータを読み取り、的確な処置を行うことが可能となる。
【００６５】
また、緊急時用ＩＣチップアクセス装置６にＩＣチップ１４内の個人の各種情報のデータを読み出すためのコンピュータ３２を備えるので、緊急時用ＩＣチップアクセス装置６全体の小型化を図り、緊急時用ＩＣチップアクセス装置６の持ち運びを容易にすることが可能となり、その場で必要なＩＣチップ１４内のデータを読み取ることができる。これにより、救急救命医等の特定人物がコンピュータ３２を備えた緊急時用ＩＣチップアクセス装置６をアクセス用ユニットとして常備することができ、いかなる場所でも、ＩＣチップ１４内の個人の各種情報のデータを読み取ることが可能である。
【００６６】
つまり、この第２実施例の構成によれば、例えば、重度の糖尿病を持つ人物Ｐの場合について説明すると、人物Ｐは、身分証明等の個人データや病歴やアレルギー体質等の病状データ等の各種情報のデータを非接触型のＩＣチップ１４に格納し、人物Ｐ自身の口腔内に埋め込んでおく。
【００６７】
人物Ｐは重度の糖尿病を持っているため、意識不明状態や病状を的確に説明することができない等の緊急時に、人物Ｐの身分証明や病状データを特定人物（例えば、医師や救急救命医等）が緊急用のデータ読み出し可能な端末装置１０を備えたデータ処理ユニット２６を用いて、人物ＰのＩＣチップ１４内のデータを読み取れるように、人物ＰのＩＣチップ１４に事前に緊急時用使用許可承認を登録しておく。
【００６８】
このとき、データ読み出し可能な端末装置３２を備えた緊急時用ＩＣチップアクセス装置６を使用して引き出せる人物ＰのＩＣチップ１４内の各種情報のデータに制限をかけておくことができる（例えば、氏名、住所、緊急連絡先、血液型、病歴のみが引き出し可能としておくことで、ＩＣチップ１４内に格納してある各種情報のデータの全てを見られる心配は、なくなる）。
【００６９】
この場合、緊急時用ＩＣチップアクセス装置６には、該緊急時用ＩＣチップアクセス装置６を使用する特定人物（例えば、医師や救急救命医）の個人ＩＤ及び緊急時用識別情報（緊急時用暗証番号）を登録させておく。また、この緊急時用識別情報は、事前に病院や消防署に振られている番号等である。従って、特定人物には個人ＩＤを持たせ、緊急時に人物Ｐの個人の各種情報のデータ等を引き出す際に、緊急時用識別情報と共に、特定人物の個人ＩＤを入力させることで、誰が個人の各種情報のデータ等を引き出したのかを人物ＰのＩＣチップ１４に記録しておくことができる。
【００７０】
そして、人物Ｐが突然道で意識不明状態に陥ってしまった場合等に、氏名、住所、自分が重度の糖尿病であることを医師等に伝えることが不可能な状態になる。
【００７１】
その後、救急車が到着するが、人物Ｐの意識が戻らず、氏名、病歴等を救急救命医等の特定人物に伝えることができない。
【００７２】
そこで、救急救命医は、端末機能を有する緊急時用ＩＣチップアクセス装置６に緊急時識別情報である緊急時用暗証番号と救急救命医の個人ＩＤを入力し、人物ＰのＩＣチップ１４にアクセスを試みる。
【００７３】
人物ＰのＩＣチップ１４には緊急時用使用許可承認を登録していることから、救急救命医は、端末機能を有する緊急時用ＩＣチップアクセス装置６により人物ＰのＩＣチップ１４にアクセスすることが可能となる。
【００７４】
そして、この救急救命医等は、その場で、人物ＰのＩＣチップ１４から必要なデータを読み取り、適切な処置を行うことができる。
【００７５】
そして、人物ＰのＩＣチップ１４内の各種情報のデータを読み取った後は、処置内容や救急救命医の氏名等の各データを人物ＰのＩＣチップ１４に書き込むことができる。
【００７６】
これにより、人物Ｐがいつ意識不明状態に陥ったのか、誰がＩＣチップ１４にアクセスし、処置を行ったかが確認でき、また、次の治療の参考とすることができる。
【００７７】
また、この第２実施例においては、図７に示す如く、コンピュータ３２を備えた緊急時用アクセス装置６には、前記被設置者の各種情報のデータが登録されたサーバ８を通信可能に設けることも可能である。この場合、前記被設置者の各種情報のデータの読み出しは、図１のフローチャートと同様に行われるので、ここでは、その説明を省略する。
【００７８】
なお、この発明においては、上記のコンピュータによるアクセス方法において、サーバには、各種情報のデータとしての人物ＰのＩＤのデータのみしか記録してないため、ＩＣチップから人物Ｐの個人データや病状データを引き出す必要があるが、サーバ自体に人物Ｐの氏名、住所、緊急連絡先、血液型、重度の糖尿病等の個人データや病状データを記録させておき、緊急時用ＩＣチップアクセス装置を介してＩＣチップとサーバの緊急時用暗証番号使用許可承認者リストのＩＤのデータを照合させ、このデータが一致した場合には、サーバ内に登録されている人物Ｐの個人データや病状データを引き出すことも可能である。
【産業上の利用可能性】
【００７９】
緊急時用暗証番号により端末装置が通信可能な緊急用アクセス装置を設け、人物Ｐの個人の各種情報のデータを該人物の利用許可がなくても読み取れることを、他の通信手段にも適用することができる。
【００８０】
また、例えば、この発明において利用される口腔内又は口腔近傍の生体に設置された情報記録装置が、いついかなる場合でも本人と共にあることから、この発明の実施例における該当人物の緊急時における利用以外にも、該当人物の医学的管理ないし医学的サービスを良好に実施することも可能である。
【００８１】
その一つのとして、今日、社会問題に発展した医療過誤への早急な対策が迫られているなかで、カルテあるいは処方指示書の作成の際に生ずる投薬ミスについては、患者に薬が渡る時点では、処方箋が医師の手から離れていて、チェック機能が働きにくいと言われている。そこで、投薬毎に、その履歴を患者サイドに残し、新たに薬を与える際には、それ以前に記録された投薬歴を参照すれば、万一、誤った薬剤が患者サイドに来たとしても、それ以前の投薬履歴との不整合が一目瞭然となるので、患者の健康被害を水際で食い止めることができる。
【００８２】
しかしながら、患者側に投薬履歴を作成するには、医療スタッフの新たな労力を必要とする上、患者がその記録を常時携行する必要がある。また、投薬履歴の作成の作業行程そのものに、ヒューマンエラーが入り込む要素がある。入院患者の身元確認用腕輪にバーコードを付加し、投薬の際には、このバーコードをスキャニングして本人確認を行うことで、投薬ミスを防止するシステムが実用化されているけれども、処方量等、投薬の内容そのものをチェックする機能を果たすことはできないし、患者が常時肌身にする腕輪が院内感染の要因になり得るという意見があり、しかも、この方法は、通院患者に対しては、全く適用することができない。
【００８３】
そこで、この発明で利用する処置歯の根幹内や歯冠築造体内部に非接触にて動作するＲＦＩＤ（Ｒａｄｉｏ  Ｆｒｅｑｕｅｎｃｙ  Ｉｄｅｎｔｉｆｉｃａｔｉｏｎ）チップを用いた固有情報記録装置に対し、投薬の際等に、患者に与えられた薬名、投与量、日時等をワンタッチで患者サイドに記録する仕組みを作る。そして、新たな投薬の際には、その以前に記録された投薬履歴を参照すれば、誤った投薬や、望ましくない過剰投与を未然に防止することができる。
【００８４】
ただ、そのような大事な記録を持つ口腔内又は口腔近傍の生体に設置された固有情報記録装置が、人為的不作為、あるいは、悪意を持つ第三者からの不正なアクセスを受け、病歴や投薬礫に改竄を受ける可能性がある限り、このシステムに文字通り命を預けなければならない患者から見れば、信頼を得て使用してもらうなど、とてもかなわないであろう。
【００８５】
医療現場においては、患者の病歴を正確且つ迅速に把握し、常に最前の医療手段を提供する必要がある点を考慮すれば、この発明の手法を用いて、患者の意思のもと、予めその医学的管理を担保する医療機関ないし医師等に対して緊急用暗証番号等を担保してもらい、それを担保された医師等並びに医療機関は、充分な注意義務を遂行しながら、その暗証番号等を用いて患者の口腔内又は口腔近傍の生体にある固有情報記録装置に随時アクセスし、受診歴や投薬歴を記録することで、前述した投薬ミスの発生を防止することができる。即ち、この発明は、このようなシステムに対する第三者からの不正なアクセスを排除するためのセキュリティを確率することにも貢献できるので、医学的管理に対する高い信頼性を確立するのにも、寄与することができる。
【図面の簡単な説明】
【００８６】
【図１】第１実施例において緊急時用暗証番号により人物の個人情報のデータを該人物の利用許可がなくても読み取れるフローチャートである。
【図２】第１実施例において固有情報記録装置を用いたデータ検出システムの構成図である。
【図３】第１実施例において固有情報記録装置を用いたデータ検出システムのブロック図である。
【図４】第１実施例において固有情報記録装置を備えた歯科用築造体の斜視図である。
【図５】第１実施例において歯科用築造体を設置した口腔内の断面図である。
【図６】第２実施例において固有情報記録装置を用いたデータ検出システムのブロック図である。
【図７】第２実施例において緊急時用ＩＣチップアクセス装置にサーバが通信可能に設けられた固有情報記録装置を用いたデータ検出システムのブロック図である。
【符号の説明】
【００８７】
２  固有情報記録装置を用いたデータ検出システム
４  固有情報記録装置
６  緊急時用ＩＣチップアクセス装置
８  サーバ
１０  コンピュータ
１２  歯科用築造体
１４  ＩＣチップ
【図１】
2005276109.tif 000003
【図２】
2005276109.tif 000004
【図３】
2005276109.tif 000005
【図４】
2005276109.tif 000006
【図５】
2005276109.tif 000007
【図６】
2005276109.tif 000008
【図７】
2005276109.tif 000009